(57)【特許請求の範囲】
【請求項１】
プレスキーベース（I）、プレスキーパネル（II）、スイッチボード（III）及びスプリングバックソフトキー（Ｖ）を含み、
前記プレスキーパネル（II）が前記プレスキーベース（I）の上面にスナップ嵌めされ、前記プレスキーパネル（II）の一端が、前記プレスキーベース（I）の一端に回転可能に取り付けられ、
前記スイッチボード（III）が前記プレスキーベース（I）の下方に位置し、前記スイッチボード（III）にプリント回路基板とスイッチ機構とが設けられ、
前記スプリングバックソフトキー（Ｖ）が前記スイッチボード（III）のスイッチ機構の上方に位置し、
前記プレスキーパネル（II）が押されると、前記プレスキーパネル（II）が前記スプリングバックソフトキー（Ｖ）に接触して前記スイッチボード（III）上のスイッチ機構を作動させ、さらに前記スイッチ機構の開閉を制御し、前記スプリングバックソフトキー（Ｖ）は、前記プレスキーパネル（II）を復元するためのスプリングバック力を付与し、
前記プレスキーベース（I）が回転軸（１１）と斜面（１２）とを含み、
前記斜面（１２）と、前記プレスキーベース（I）の下面が位置する平面とは、一定の角度をなし、
前記回転軸（１１）が前記斜面（１２）の先端に位置すると共に前記プレスキーベース（I）に固定され、前記回転軸（１１）は、前記プレスキーベース（I）の下面が位置する平面よりも上にあり、
前記斜面（１２）に係合孔（２１）とボス逃げ孔（２２）とが設けられ、
前記プレスキーパネル（II）の一方の面に、第一係止部材（３１）及びボス（３４）が設けられ、
前記第一係止部材（３１）と前記プレスキーベース（I）上の前記係合孔（２１）とが適合すると共に対応する位置を有し、前記第一係止部材（３１）が前記係合孔（２１）内にスナップ嵌めされると共に前記係合孔（２１）から一定の距離だけ高くなっており、
前記ボス（３４）と前記プレスキーベース（I）上の前記ボス逃げ孔（２２）とが適合し、前記ボス（３４）が前記ボス逃げ孔（２２）を貫通すると共に前記ボス逃げ孔（２２）から一定の距離だけ高くなっており、前記ボス（３４）が下方へ移動すると、前記ボス（３４）が前記スプリングバックソフトキー（Ｖ）に接触する、ことを特徴とするパネル型制御ボタン。
【請求項２】
前記プレスキーパネル（II）の一方の面に、第二係止部材（３２）がさらに設けられ、前記第二係止部材（３２）に回転軸溝（３３）が設けられ、
前記プレスキーパネル（II）の他方の面に突起（３５）が設けられ、前記突起（３５）の位置は前記ボス（３４）の位置と対応しており、前記突起（３５）が押されると、前記ボス（３４）が下方へ移動し、
前記第二係止部材（３２）と前記プレスキーベース（I）上の回転軸（１１）とが適合すると共に対応する位置を有し、前記第二係止部材（３２）が前記回転軸溝（３３）を介して前記回転軸（１１）に回転可能に取り付けられていることを特徴とする請求項１に記載のパネル型制御ボタン。
【請求項３】
前記プレスキーベース（I）に、第三係止部材（２３）及び第四係止部材（２４）がさらに設けられており、前記第三係止部材（２３）及び前記第四係止部材（２４）が、前記パネル型制御ボタンを電子製品に取り付けるためのものであることを特徴とする請求項２に記載のパネル型制御ボタン。
【請求項４】
前記回転軸（１１）、前記第一係止部材（３１）、前記第二係止部材（３２）、前記第三係止部材（２３）及び／又は前記第四係止部材（２４）は、いずれも一つ以上設けられていることを特徴とする請求項３に記載のパネル型制御ボタン。
【請求項５】
前記スイッチボード（III）に位置ロック孔（４１）がさらに設けられており、
前記位置ロック孔（４１）が、前記プリント回路基板を前記スイッチボード（III）に固定するためのものであることを特徴とする請求項１に記載のパネル型制御ボタン。
【請求項６】
前記スプリングバックソフトキー（Ｖ）にスプリングバックソフトキー接点（５１）が設けられており、
前記プレスキーパネル（II）が押されると、前記スプリングバックソフトキー接点（５１）が前記スイッチボード（III）上のスイッチ機構に接触して前記スイッチ機構を作動させることを特徴とする請求項１に記載のパネル型制御ボタン。
【請求項７】
前記スプリングバックソフトキー（Ｖ）の材質がシリコンパッドであることを特徴とする請求項６に記載のパネル型制御ボタン。
【請求項８】
前記スプリングバックソフトキー（Ｖ）がバネ又は弾性シートであることを特徴とする請求項７に記載のパネル型制御ボタン。
【発明の詳細な説明】
【技術分野】
【０００１】
本発明は、電子機械技術分野に関し、特に、パネル型制御ボタンに関する。
【背景技術】
【０００２】
ボタンは、よくある制御用電気素子として、日常に使用されている電子製品においてどこにでも見られる。電子製品の設計に応じて、平面型（例えばマウスやキーボード）とサイド型（例えば電灯の制御スイッチ）等に分類可能である。しかし、従来の家電製品用電子ボタンの設計には、動作空間が大きくて、コストが高いなどの欠点がある。
【発明の概要】
【発明が解決しようとする課題】
【０００３】
上記課題に鑑みて、本発明のパネル型制御ボタンを提案して、上記課題を解決し又はその一部を解決する。本発明によるパネル型制御ボタンは、電子製品の前面及び側壁に同時に適用可能なものであると共に、自動リセット（復元）動作を実現することができ、動作空間が小さく、完全に機械的に伝動され、コストが低い等の利点を有する。
【課題を解決するための手段】
【０００４】
上記目的を達成するために、本発明の技術案は、下記のように実現される。
【０００５】
本発明は、パネル型制御ボタンを提供しており、前記パネル型制御ボタンは、プレスキーベース、プレスキーパネル、スイッチボード及びスプリングバックソフトキーを含み、
前記プレスキーパネルが前記プレスキーベースの上面（上部）にスナップ嵌めされ、前記プレスキーパネルの一端が前記プレスキーベースの一端に回転可能に取り付けられ、
前記スイッチボードが前記プレスキーベースの下方に位置し、前記スイッチボードにプリント回路基板とスイッチ機構とが設けられ、
前記スプリングバックソフトキーが前記スイッチボードのスイッチ機構の上方に位置し、
前記プレスキーパネルが押されると、前記プレスキーパネルが前記スプリングバックソフトキーに接触して前記スイッチボード上のスイッチ機構を作動させ（トリガし）、さらに前記スイッチ機構の開閉を制御し、前記スプリングバックソフトキーは、前記プレスキーパネルをリセット（復元）するためのスプリングバック力を付与（提供）する。
【０００６】
また、前記プレスキーベースが回転軸と斜面とを含み、
前記斜面と、前記プレスキーベースの下面が位置する平面とは、一定の角度をなし、
前記回転軸が前記斜面の先端に位置すると共に前記プレスキーベースに固定され、前記回転軸は、前記プレスキーベースの下面が位置する平面よりも上にあり、
前記斜面に係合孔及びボス逃げ孔が設けられていてもよい。
【０００７】
また、前記プレスキーパネルの一方の面に、第一係止部材、ボス、第二係止部材が設けられ、前記第二係止部材に回転軸溝が設けられ、
前記プレスキーパネルの他方の面に突起が設けられ、前記突起の位置は前記ボスの位置と対応しており、前記突起が押されると、前記ボスが下方へ移動し、
前記第一係止部材と前記プレスキーベース上の係合孔とがと適合すると共に対応する位置を有し、前記第一係止部材が前記係合孔内にスナップ嵌めされると共に前記係合孔から一定の距離だけ高くなっており、
前記第二係止部材と前記プレスキーベース上の回転軸とが適合すると共に対応する位置を有し、前記第二係止部材が前記回転軸溝を介して前記回転軸に回転可能に取り付けられ、
前記ボスと前記プレスキーベース上のボス逃げ孔とが適合し、前記ボスが前記ボス逃げ孔を貫通すると共に前記ボス逃げ孔から一定の距離だけ高くなっており、前記ボスが下方へ移動すると、前記ボスが前記スプリングバックソフトキーに接触するようにしてもよい。
【０００８】
また、前記プレスキーベースに、前記パネル型制御ボタンを電子製品に取り付けるための第三係止部材及び第四係止部材がさらに設けられていてもよい。
【０００９】
また、前記回転軸、前記第一係止部材、前記第二係止部材、前記第三係止部材及び／又は前記第四係止部材は、いずれも一つ以上設けられていてもよい。
【００１０】
また、前記スイッチボードに、前記プリント回路基板を前記スイッチボードに固定するための位置ロック孔がさらに設けられていてもよい。
【００１１】
また、前記スプリングバックソフトキーにスプリングバックソフトキー接点が設けられており、
前記プレスキーパネルが押されると、前記スプリングバックソフトキー接点が前記スイッチボード上のスイッチ機構に接触して前記スイッチ機構を作動させる（トリガする）ようにしてもよい。
【００１２】
また、前記スプリングバックソフトキーの材質がシリコンパッドであってもよい。
【００１３】
また、前記スプリングバックソフトキーがバネ又は弾性シートであってもよい。
【発明の効果】
【００１４】
本発明の有益な効果としては、本発明によるパネル型制御ボタンは、電子製品の前面及び側壁に同時に適用可能なものであると共に、自動リセット（復元）動作を実現することができる。パネル型制御ボタンのプレスキーベースに設けられた斜面及び回転軸によって、本発明は、動作空間が小さく、完全に機械的に伝動され、コストが低く、構造が簡単で組み立てが容易である等の利点を有し、従来の家電製品用電子ボタンの設計よりも優れている。
【図面の簡単な説明】
【００１５】
【図１】本発明の実施例によるパネル型制御ボタンのプレスキーベースの正面構造模式図である。
【図２】本発明の実施例によるパネル型制御ボタンのプレスキーベースの裏面構造模式図である。
【図３】本発明の実施例によるパネル型制御ボタンのプレスキーパネルの透視構造模式図である。
【図４】本発明の実施例によるパネル型制御ボタンのプレスキーパネルがプレスキーベースに取付けられた後の裏面構造模式図である。
【図５】本発明の実施例によるパネル型制御ボタンのプレスキーパネルがプレスキーベースに取付けられた後の正面構造模式図である。
【図６】本発明の実施例によるパネル型制御ボタンのプレスキーパネル、プレスキーベース及びスイッチボードが取付けられた後の正面構造模式図である。
【図７】本発明の実施例によるパネル型制御ボタンのプレスキーパネル、プレスキーベース及びスイッチボードが取付けられた後の裏面構造模式図である。
【図８】本発明の実施例によるパネル型制御ボタンの断面図である。
【発明を実施するための形態】
【００１６】
ここで、Iがプレスキーベース、IIがプレスキーパネル、IIIがスイッチボード、Ｖがスプリングバックソフトキー、１１が回転軸、１２が斜面、２１が係合孔、２２がボス逃げ孔、２３が第三係止部材、２４が第四係止部材、３１が第一係止部材、３２が第二係止部材、３３が回転軸溝、３４がボス、３５が突起、４１が位置ロック孔、５１がスプリングバックソフトキー接点である。
【００１７】
本発明の目的、技術案及び利点が更に明白になるように、以下、図面を参照しながら、本発明の実施形態について更に詳しく説明する。
【００１８】
本発明は、パネル型制御ボタンを提供しており、前記パネル型制御ボタンは、電子製品の前面及び側壁に同時に適用可能なものであり、動作空間が小さく、完全に機械的に伝動され、コストが低い。
【００１９】
図１は、本発明の実施例によるパネル型制御ボタンのプレスキーベースの正面的構造模式図であり、図２は、本発明の実施例によるパネル型制御ボタンのプレスキーベースの裏面の構造模式図であり、図３は、本発明の実施例によるパネル型制御ボタンのプレスキーパネルの構造模式図であり、図４は、本発明の実施例によるパネル型制御ボタンのプレスキーパネルがプレスキーベースに取付けられた後の裏面構造模式図であり、図５は、本発明の実施例によるパネル型制御ボタンのプレスキーパネルがプレスキーベースに取付けられた後の正面構造模式図であり、図６は、本発明の実施例によるパネル型制御ボタンのプレスキーパネル、プレスキーベース及びスイッチボードが取付けられた後の正面構造模式図であり、図７は、本発明の実施例によるパネル型制御ボタンのプレスキーパネル、プレスキーベース及びスイッチボードが取付けられた後の裏面構造模式図であり、図８は、本発明の実施例によるパネル型制御ボタンの断面図である。
【００２０】
図１−８に示すように、本発明の実施例によるパネル型制御ボタンは、プレスキーベースIと、プレスキーパネルIIと、スイッチボードIIIと、スプリングバックソフトキーＶとを含む。前記プレスキーパネルIIが前記プレスキーベースIの上面（プレスキーベースの正面から離れる方向）にスナップ嵌めされ、前記プレスキーパネルIIの一端が前記プレスキーベースIの一端に回転可能に取り付けられている。前記スイッチボードIIIが前記プレスキーベースIの下方（プレスキーベースの裏面から離れる方向）に位置し、前記スイッチボードIIIにプリント回路基板とスイッチ機構（図示しない）とが設けられており、前記スイッチ機構が前記プリント回路基板に設けられており、前記スプリングバックソフトキーＶが前記スイッチボードIIIのスイッチ機構の上方（プレスキーベースの裏面と正対する方向）に位置する。前記プレスキーパネルIIが押されると、前記プレスキーパネルIIが前記スプリングバックソフトキーＶに接触して前記スイッチボードIII上のスイッチ機構を作動させ（トリガし）、さらに前記スイッチ機構の開閉を制御する。前記スプリングバックソフトキーＶは、前記プレスキーパネルIIをリセット（復元）するためのスプリングバック力を付与（提供）する。
【００２１】
図１及び図２に示すように、前記プレスキーベースIは、回転軸１１と斜面１２とを含む。前記斜面１２と、前記プレスキーベースIの裏面が位置する平面とは、一定の角度をなし、前記回転軸１１が前記斜面１２の先端に位置して前記プレスキーベースIに固定されている。前記回転軸１１は、前記プレスキーベースIの裏面が位置する平面よりも上にある。前記斜面１２に係合孔２１及びボス逃げ孔２２が設けられている。
【００２２】
図３に示すように、前記プレスキーパネルIIの一方の面に、第一係止部材３１、ボス３４、第二係止部材３２が設けられており、前記第二係止部材３２に回転軸溝３３が設けられている。前記プレスキーパネルIIの他方の面に突起３５が設けられており、前記突起３５の位置は前記ボス３４の位置と対応している。前記突起３５は、ユーザが押したときの触感を強めることができる。
【００２３】
図４に示すように、前記プレスキーパネルIIが前記プレスキーベースIの正面に取付けられている。そのうち、前記第一係止部材３１と前記プレスキーベースI上の係合孔２１とが適合すると共に対応する位置を有し、前記第一係止部材３１が前記係合孔２１内にスナップ嵌めされて前記係合孔２１から一定の距離だけ高くなっており、これにより、ユーザがプレスキーパネルIIを押したとき、プレスキーパネルIIが一定の移動空間を有するようになる。本発明の実施例において、第一係止部材３１が前記係合孔２１内にスナップ嵌めされて、係合孔２１から２ｍｍの距離だけ高くなっている。
【００２４】
前記第二係止部材３２と前記プレスキーベースIの回転軸１１とが適合すると共に対応する位置を有しており、前記第二係止部材３２が前記回転軸溝３３を介して前記回転軸１１に回転可能に取り付けられている。前記ボス３４と前記プレスキーベースI上のボス逃げ孔２２とが適合し、前記ボス３４が前記ボス逃げ孔２２を貫通すると共に前記ボス逃げ孔２２から一定の距離だけ高くなっている。前記ボス３４が下方へ移動すると、前記ボス３４が前記スプリングバックソフトキーＶに接触する。本発明の実施例において、前記ボス３４が前記ボス逃げ孔２２を通して前記ボス逃げ孔２２から２ｍｍの距離だけ高くなっており、これにより、前記プレスキーパネルIIを押した時、前記ボス３４が、対応するスプリングバックソフトキーＶに接触するようになる。
【００２５】
図７に示すように、前記スプリングバックソフトキーＶにスプリングバックソフトキー接点５１が設けられており、前記スプリングバックソフトキー接点５１は、スプリングバックソフトキーＶの中間部分に位置し、スイッチボードIIIのプリント回路基板上のスイッチ機構の位置と対応している。前記プレスキーパネルII上の突起３５が押されると、前記プレスキーパネルIIが前記回転軸１１回りに回転し、前記ボス３４がそれに伴って下方（スイッチボードに向かう方向）へ移動し、ボス３４がスプリングバックソフトキーＶに接触してスプリングバックソフトキーＶを下方へ押し、スプリングバックソフトキーＶが垂直に降下し、プレスキーパネルIIの回転ストロークが垂直ストロークに変換され、動作空間が比較的に小さい。その後、前記スプリングバックソフトキー接点５１が前記スイッチボードIII上のスイッチ機構に接触して、前記プリント回路基板上のスイッチ機構を作動させる（トリガする）ことで、回路が導通され、ある命令または回路に対する開閉制御（例えば便器洗浄命令）を行わせる。前記スプリングバックソフトキーＶがスプリングバック力を付与（提供）してボス３４及びプレスキーパネルIIを自動にリセット（復元）させ、前記スプリングバックソフトキー接点５１と前記スイッチボードIII上のスイッチ機構とが切り離されて、回路が切断される。
【００２６】
これで分かるように、本発明の実施例によるパネル型制御ボタンは、完全に機械的に伝動されて作動する（トリガされる）スイッチ機構に属するものであり、コストが比較的低い。
【００２７】
なお、本発明の実施例において、前記スプリングバックソフトキーＶの材質がシリコンパッドである。また、スプリングバックソフトキーＶは、プレスキーパネルIIの自動スプリングバック機能を実現できるものであれば、バネ又は弾性シートとして設けられてもよい。
【００２８】
図７に示すように、前記スイッチボードIIIに、前記プリント回路基板を前記スイッチボードIIIに固定するための位置ロック孔４１がさらに設けられている。
【００２９】
前記プレスキーベースIに、前記パネル型制御ボタンを電子製品に取り付けるための第三係止部材２３及び第四係止部材２４がさらに設けられている。前記回転軸１１、前記第一係止部材３１、前記第二係止部材３２、前記第三係止部材２３及び／又は前記第四係止部材２４は、いずれも一つ以上設けられている。本発明の実施例において、前記回転軸１１、第一係止部材３１及び第二係止部材３２は、いずれも二つ設けられ、且つ対称的に分布されている。前記第三係止部材２３及び前記第四係止部材２４は、いずれも一つ設けられており、前記プレスキーパネルIIの縁部の中心位置に位置している。
【００３０】
要約すると、本発明によるパネル型制御ボタンの有益な効果は、下記の通りになる。
（１）自動リセット（復元）機能を有し、
（２）動作空間が小さく、
（３）構造が簡単で、組み立てが容易であり、
（４）完全に機械的に伝動され、コストが低い。
【００３１】
上記したのは、あくまでも本発明の好ましい実施例であり、本発明の保護範囲を限定するものではない。本発明の精神及び原則内になされた如何なる補正、均等的置換、改良等は、いずれも本発明の保護範囲内に含まれるものとする。
【図１】
0006445221.tif 000002
【図２】
0006445221.tif 000003
【図３】
0006445221.tif 000004
【図４】
0006445221.tif 000005
【図５】
0006445221.tif 000006
【図６】
0006445221.tif 000007
【図７】
0006445221.tif 000008
【図８】
0006445221.tif 000009